(57)【要約】【課題】上側カバー、下側カバー及びモールドフレーム構造を備える液晶表示装置は、構成が複雑であるため製造時にコストが増大する。【解決手段】液晶パネルと、液晶パネル後ろに備えられ、液晶パネルに面する出射面、出射面に対向する反射面、第１入射面及び互いに対向する一対の側面を含む導光板と、導光板の第１入射面に沿って備えられた第１光源と、カバー部材と、を含み、カバー部材は、第１入射面とともに第１光源を収容する第１部分と、第１部分から延長され、導光板の反射面に面する第２部分とを含み、液晶パネルが上に固定されることを特徴とする液晶表示装置。【選択図】図１
2008090306.tif 000002
【特許請求の範囲】
【請求項１】
液晶パネルと、
前記液晶パネルの後ろに備えられ、前記液晶パネルに面する出射面と、前記出射面と対向する反射面と、第１入射面と、互いに対向する一対の側面とを含む導光板と、
前記導光板の前記第１入射面に沿って備えられる第１光源と、
前記第１入射面とともに前記第１光源を収容する第１部分と、前記第１部分から延長され、前記導光板の前記反射面に面する第２部分とを含み、その上に前記液晶パネルが固定されるカバー部材と、
を含むことを特徴とする液晶表示装置。
【請求項２】
前記導光板の第２入射面に沿って備えられる第２光源と、
前記第２入射面とともに前記第２光源を収容する収容部と、前記収容部から延長され、前記導光板の前記反射面に面する延長部とを含み、その上に前記液晶パネルが固定される第２カバー部材と、をさらに含み、
前記導光板の前記第１入射面と前記導光板の前記第２入射面とが互いに対向することを特徴とする請求項１に記載の液晶表示装置。
【請求項３】
前記液晶パネルは、前記第１部分上に固定され、
前記第１カバー部材は、前記第１部分から突出し前記液晶パネルの一側に面する第１パネルガイドをさらに含むことを特徴とする請求項１に記載の液晶表示装置。
【請求項４】
前記第１カバー部材と前記液晶パネルとの間に備えられる弾性部材をさらに含むことを特徴とする請求項１に記載の液晶表示装置。
【請求項５】
前記弾性部材は、シリコンテープを含むことを特徴とする請求項４に記載の液晶表示装置。
【請求項６】
前記導光板の前記側面に沿ってそれぞれ備えられる一対のサイドカバーをさらに含むことを特徴とする請求項２に記載の液晶表示装置。
【請求項７】
前記液晶パネルは、前記サイドカバー上に固定されていることを特徴とする請求項６に記載の液晶表示装置。
【請求項８】
前記第１カバー部材は、第２部分から延長され、前記導光板の前記側面に面することを特徴とする請求項１に記載の液晶表示装置。
【請求項９】
前記第１カバー部材は、前記第３部分から内側に延長され前記導光板が前記光源に接触することを防ぐ導光板ストッパをさらに備えることを特徴とする請求項８に記載の液晶表示装置。
【請求項１０】
各前記サイドカバーは、前記導光板の前記側面の一つに面する第４部分と、前記第４部分から延長され前記導光板の前記出射面に面する第５部分とを含み、前記液晶パネルは前記第５部分上に固定されることを特徴とする請求項７に記載の液晶表示装置。
【請求項１１】
前記各サイドカバーは、前記第５部分から延長され前記液晶パネルの一側部に面する第２パネルガイドを含むことを特徴とする請求項１０に記載の液晶表示装置。
【請求項１２】
前記導光板と前記液晶パネルとの間に備えられた光学フィルムをさらに含み、前記光学フィルムの一部は、前記導光板と前記第５部分の間に備えられることを特徴とする請求項１０に記載の液晶表示装置。
【請求項１３】
前記第１光源と前記第１カバー部材との間に備えられ、前記第１光源から放射された光を前記導光板の前記第１入射面に反射する光源反射板をさらに含むことを特徴とする請求項１に記載の液晶表示装置。
【請求項１４】
前記導光板と前記第１カバー部材の前記第２部分との間に備えられた反射板をさらに含むことを特徴とする請求項１に記載の液晶表示装置。
【請求項１５】
前記第１カバー部材の前記第２部分と前記第２カバー部材の前記延長部とは、実質的に互いに接触することを特徴とする請求項２に記載の液晶表示装置。
【請求項１６】
前記第１カバー部材の前記第２部分と前記第２カバー部材の前記延長部とを接着するテープ部材をさらに含むことを特徴とする請求項１５に記載の液晶表示装置。
【請求項１７】
前記テープ部材は、導電性テープを含むことを特徴とする請求項１６に記載の液晶表示装置。
【請求項１８】
液晶パネルと、
前記液晶パネルの後ろに備えられ、前記液晶パネルに面する出射面と、前記出射面に対向する反射面と、互いに対向する一対の入射面と、互いに対向する一対の側面とを含む導光板と、
前記導光板の各前記出射面に沿って備えられた一対の光源と、
一対のカバー部材と、
を含み、
各前記カバー部材は、前記入射面の一つとともに前記光源の一つを収容する第１部分と、前記第１部分から延長され前記導光板の前記反射面に面する第２部分とを含むことを特徴とする液晶表示装置。
【請求項１９】
前記各カバー部材は、前記第２部分から延長され前記導光板の前記側面に面する第３部分をさらに含むことを特徴とする請求項１８に記載の液晶表示装置。
【請求項２０】
一対のサイドカバーをさらに含み、各サイドカバーは、前記導光板の前記側面の一つに沿って備えられ、前記一対のカバー部材に連結されることを特徴とする請求項１９に記載の液晶表示装置。
【請求項２１】
前記液晶パネルは、前記カバー部材及び前記サイドカバー上に固定されることを特徴とする請求項２０に記載の液晶表示装置。
【請求項２２】
前記液晶パネルと前記各カバー部材との間と、前記液晶パネルと前記各サイドカバーとの間とに備えられた弾性部材をさらに含むことを特徴とする請求項２１に記載の液晶表示装置。
【請求項２３】
前記各カバー部材の少なくとも一部は、前記導光板の前記出射面に面することを特徴とする請求項２２に記載の液晶表示装置。
【請求項２４】
前記液晶パネルの側部に面するパネルガイドをさらに含み、前記パネルガイドは、前記カバー部材内及び前記サイドカバー内のそれぞれに形成されることを特徴とする請求項２２に記載の液晶表示装置。
【請求項２５】
液晶パネルと、
前記液晶パネルの後ろに備えられた導光板と、
前記導光板の対向する入射面に沿って備えられた光源と、
互いに分離され前記導光板を収容する少なくとも二つのサブカバー部材を含むカバー部材と、
を含み、
前記サブカバー部材の一つは、前記入射面とともに前記光源を収容することを特徴とする液晶表示装置。
【発明の詳細な説明】
【技術分野】
【０００１】
本発明の実施形態は、液晶表示装置に関し、より詳細には液晶パネルを覆って支持する導光板を有する液晶表示装置に関する。
【背景技術】
【０００２】
一般的に、液晶表示（ＬＣＤ）装置は、画像信号情報に従って液晶セルの光透過率を調節し、バックライトユニットから発せられた光を用いて液晶パネル上に画像を生成する。
【発明の開示】
【発明が解決しようとする課題】
【０００３】
液晶パネル及びバックライトユニットは、互いに連結された上側カバーと下側カバーとの間の空間に収容される。液晶パネルは、上側カバーの内側及び下側カバーの内側に備えられたモールドフレーム内に固定される。
【０００４】
上側カバー、下側カバー及びモールドフレーム構造を備える液晶表示装置は、構成が複雑であるため製造時にコストが増大する。
【課題を解決するための手段】
【０００５】
本発明の一実施形態によると、液晶表示装置は、液晶パネルと、液晶パネルの後ろに備えられ、液晶パネルに面する出射面、出射面に対向する反射面、第１入射面、及び互いに対向する一対の側面を含む導光板と、導光板の第１入射面に沿って備えられた第１光源と、カバー部材と、を含み、カバー部材は、第１入射面とともに第１光源を収容する第１部分と第１部分から延長されて導光板の反射面に面する第２部分とを含み、その上に液晶パネルが固定される。
【０００６】
本発明の一実施形態によると、液晶表示装置は、導光板の第２入射面の沿って備えられる第２光源と第２カバー部材とをさらに含み、第２カバー部材は、第２入射面とともに第２光源を収容する収容部と収容部から延長されて導光板の反射面に面する延長部とを含み、その上に液晶パネルが固定され、導光板の第１入射面と導光板の第２入射面とは互いに対向する。
【０００７】
本発明の一実施形態によると、液晶パネルは、第１部分の上に固定され、第１カバー部材は第１部分から突出し液晶パネルの一側に面する第１パネルガイドをさらに含む。
【０００８】
本発明の一実施形態によると、液晶表示装置は、第１カバー部材の第１部分と液晶パネルとの間に備えられた弾性部材をさらに含む。
【０００９】
本発明の一実施形態によると、弾性部材は、シリコンテープを含む。
【００１０】
本発明の一実施形態によると、液晶表示装置は、導光板の側面に沿ってそれぞれ備えられた一対のサイドカバーを含む。
【００１１】
本発明の一実施形態によると、液晶パネルは、サイドカバーの上に固定される。
【００１２】
本発明の一実施形態によると、第１カバー部材は、第２部分から延長され導光板の側面に面する第３部分をさらに含む。
【００１３】
本発明の一実施形態によると、第１カバー部材は、第３部分から内部に延長され導光板が光源に接触することを防ぐ導光板ストッパをさらに含む。
【００１４】
本発明の一実施形態によると、各サイドカバーは、導光板の側面の一つに面する第４部分と第４部分から延長され導光板の出射面に面する第５部分とをさらに含み、液晶パネルは第５部分の上に固定される。
【００１５】
本発明の一実施形態によると、各サイドカバーは、第５部分から延長され液晶パネルの一側部に面する第２パネルガイドを含む。
【００１６】
本発明の一実施形態によると、液晶表示装置は、導光板と液晶パネルとの間に備えられた光学フィルムをさらに含み、光学フィルムの一部は、導光板と第５部分との間に備えられる。
【００１７】
本発明の一実施形態によると、液晶表示装置は、第１光源と第１カバー部材との間に備えられ第１光源から導光板の第１入射面に放射される光を反射する光源反射板をさらに含む。
【００１８】
本発明の一実施形態によると、液晶表示装置は、導光板と第１カバー部材の第２部分との間に備えられる反射板をさらに含む。
【００１９】
本発明の一実施形態によると、第１カバー部材の第２部分と第２カバー部材の延長部とは実質的に互いに接触する。
【００２０】
本発明の一実施形態によると、請求項１５による液晶表示装置は、第１カバー部材の第２部分と第２カバー部材の延長部とを接着するテープ部材をさらに含む。
【００２１】
本発明の一実施形態によると、テープ部材は、導電テープを含む。
【００２２】
本発明の一実施形態によると、液晶表示装置は、液晶パネルと、液晶パネルの後ろに備えられ、液晶パネルに面する出射面、出射面に対向する反射面、互いに対向する一対の入射面、及び互いに対向する一対の側面を含む導光板と、導光板の各入射面に沿って備えられた一対の光源と、一対のカバー部材と、を含み、各カバー部材は、入射面の一つとともに光源の一つを収容する第１部分と第１部分から延長されて導光板の反射面に面する第２部分とを含む。
【００２３】
本発明の一実施形態によると、各カバー部材は、第２部分から延長され導光板の側面に面する第３部分をさらに含む。
【００２４】
本発明の一実施形態によると、液晶表示装置は、一対のサイドカバーをさらに含み、各サイドカバーは導光板の側面の一つに沿って備えられ、一対のカバー部材に連結する。
【００２５】
本発明の一実施形態によると、液晶表示装置は、カバー部材及びサイドカバーの上に固定される。
【００２６】
本発明の一実施形態によると、液晶表示装置は、液晶パネルと各カバー部材との間と液晶パネルと各サイドカバーとの間とに備えられた弾性部材をさらに含む。
【００２７】
本発明の一実施形態によると、各カバー部材の少なくとも一部は、導光板の出射面に面する。
【００２８】
本発明の一実施形態によると、液晶表示装置は、液晶パネルの側部に面するパネルガイドをさらに含み、パネルガイドは、それぞれカバー部材及びサイドカバー内に形成される。
【００２９】
本発明の一実施形態によると、液晶表示装置は、液晶パネルと、液晶パネルの後ろに備えられた導光板と、導光板の対向する入射面に沿って備えられた光源と、互いに分離された少なくとも２つのサブカバー部材を含み導光板を収容するカバー部材と、を含み、サブカバー部材の一つは、入射面とともに光源を収容する。
【発明の効果】
【００３０】
本発明の一実施形態によると、液晶表示装置において、追加のモールドフレーム及び導光板の反射面の全面に面する追加のカバーは必要とされず、容易に組み立てられることが可能となる。
【発明を実施するための最良の形態】
【００３１】
本発明は、添付の図面とともに以下の実施形態の記述より明確且つ容易に理解されるようになる。本発明の実施形態、添付の図面に描かれた例が詳細に説明される。全体を通して類似の要素には、同じ参照番号がつけられる。
【００３２】
本明細書において、第１要素Ａ及び第２要素Ｂが互いに「面する」という記述は、少なくとも第３要素Ｃが要素ＡとＢとの間に備えられる場合を排除しない。
【００３３】
本発明の一実施形態による液晶表示（ＬＣＤ）装置１を図１〜図７を参照して説明する。
【００３４】
図１及び図２を参照すると、液晶表示装置１は、液晶パネル２０と液晶パネル２０の後ろに備えられるバックライトユニット２とを含む。バックライトユニット２は、液晶パネル２０の後ろに備えられる光学フィルム３０、光学フィルム３０の後ろに備えられる導光板４０、導光板４０の後ろに備えられる反射板５０、導光板４０の入射面４０ｂに面する光源６１及び光源反射板６２、光源反射板６２を収容するカバー部材７０及び導光板４０の側面４０ｃに面するサイドカバー８０を含む。
【００３５】
液晶パネル２０は、ほぼ矩形である。光源６１は、液晶パネル２０の長辺側に沿って備えられる。サイドカバー８０は、液晶パネル２０の短辺側に沿って備えられる。
【００３６】
液晶パネル２０及びバックライトユニット２は、フロントカバー１０に収容される。
【００３７】
フロントカバー１０は、ほぼ矩形である。さらに、フロントカバー１０は液晶パネル２０の表示領域を露出する開口１１を含む。フロントカバー１０は、アルミニウム、ステンレススチール又は別の適切な物質で形成されてもよい。
【００３８】
図５を参照すると、液晶パネル２０は、薄膜トランジスタ（ＴＦＴ）がその上に形成された第１基板２１と、第１基板２２に面する第２基板２２とを有する。第２基板２２は、カラーフィルタを含んでもよい。液晶層（図示せず）は、第１基板２１と第２基板２２との間に備えられてもよい。
【００３９】
図１に戻ると、光学フィルム３０は、ほぼ矩形である。光学フィルム３０は、拡散フィルム、プリズムフィルム、反射偏光フィルム及び保護膜のうち少なくとも１つを含んでもよい。複数の光学フィルム３０が備えられてもよい。
【００４０】
ほぼ矩形状を有する導光板４０は、ポリメチルスチレン（ｐｏｌｙｍｅｔｈｙｌｓｔｙｒｅｎｅ）樹脂又はポリメチルメタクリレート（ＰＭＭＡ：ｐｏｌｙｍｅｔｈｉｌ−ｍｅｔｈａｃｒｙｌａｔｅ）樹脂といったアクリル樹脂から作られる。ポリメチルスチレン樹脂は、メチルメタクリレート（ｍｅｔｈｙｌｍｅｔｈａｃｒｙｌａｔｅ）樹脂とスチレン（ｓｔｙｒｅｎｅ）樹脂との共重合体である。導光板４０は、光源６１から放射された光を光学フィルム３０に均一に供給する。導光板４０は、液晶パネル２０向きに備えられた出射面４０ａ、光源６１に面した一対の入射面４０ｂ（例えば、各光源６１は、入射面４０ｂに配置される）、サイドカバー８０に面する一対の側面４０ｃ（例えば、各サイドカバー８０は、側面４０ｃに配置される）、及び出射面４０ａに対向して備えられる反射面４０ｄを含む。
【００４１】
導光板４０の下に備えられる反射板５０は、光源６１から放射された光を導光板４０に戻すように反射する。反射板５０は、ポリエチレンテレフタレート（ＰＥＴ：ｐｏｌｙｅｔｈｙｌｅｎｔｅｒｅｐｈｔｈａｌａｔｅ）又はポリカーボネート（ＰＣ：ｐｏｌｙｃａｒｂｏｎａｔｅ）といったプラスチック物質を含んでもよい。アルミニウムなどは、導光板４０に面する反射板５０の表面上を覆ってもよい。
【００４２】
導光板４０の入射面４０ｂに沿って備えられる光源６１は、冷陰極蛍光ランプ（ＣＣＦＬ：ｃｏｌｄ  ｃａｔｈｏｄｅ  ｆｌｕｏｒｅｓｃｅｎｔ  ｌａｍｐ）又は外部電極蛍光ランプ（ＥＥＦＬ：ｅｘｔｅｒｎａｌ  ｅｌｅｃｔｒｏｄｅ  ｆｌｕｏｒｅｓｃｅｎｔ  ｌａｍｐ）を採用してもよい。あるいは、光源６１は、発光ダイオード（ＬＥＤ）を採用してもよい。
【００４３】
光源反射板６２は、光源６１を収容する。光源反射板６２は、光源６１から放射された光を導光板４０に反射する。光源反射板６２は、ＰＥＴで作られてもよい。
【００４４】
一対のカバー部材７０が備えられる。カバー部材７０は、アルミニウム、ステンレススチール、又は別の適切な物質で作られてもよい。
【００４５】
図３を参照すると、各カバー部材７０は、光源反射板６２を収容する第１部分７１０、導光板４０の反射面４０ｄに面するように第１部分７１０から延長される第２部分７２０、及び導光板４０の側面４０ｃに面するように第２部分から延長される第３部分７３０を含む。第３部分７３０は、第１連結ユニット７３１を含む。第１連結ユニット７３１は連結孔（ホール）を含む。
【００４６】
第１部分７１０は、第２部分７２０と連結した第１サブパート７１０ａ、導光板４０の入射面４０ｂとほぼ平行に備えられる第２サブパート７１０ｂ、及び導光板４０の上に備えられる第３サブパート７１０ｃを含む。
【００４７】
図５を参照すると、第１弾性部材９１は、第３サブパート７１０ｃ上に配置される。具体的には、第１弾性部材９１は、第３サブパートと一体になるように第３サブパート７１０ｃ上に連続して備えられる。あるいは、第１弾性部材９１は、第３サブパート７１０ｃ上に不連続的に備えられてもよい。第１弾性部材９１は、例えば、シリコンテープ、ゴムなどで作られてもよい。
【００４８】
液晶パネル２０の長辺側の端部は、第３サブパート７１０ｃ上に固定される。第１弾性部材９１は、液晶パネル２０と第３サブパート７１０ｃとの間に備えられる。液晶パネル２０は、第１弾性部材９１に接する。第１弾性部材９１は、液晶パネル２０がカバー部材７０と直接接触することにより摩耗するのを実質的に防ぐ。さらに、第１弾性部材９１は、振動といった衝撃から液晶パネルを保護し、液晶パネル２０とカバー部材７０との間の空間に異物が入り込むのを防ぐ。
【００４９】
第１パネルガイド７１１は、第３サブパート７１０ｃ上に備えられる。第１パネルガイド７１１は、液晶パネル２０の表面の平面方向とほぼ垂直な方向に突出する。液晶パネル２０の側面に面する第１パネルガイド７１１は、液晶パネル２０が平面方向に動くのを実質的に防ぐ。
【００５０】
第２部分７２０は、導光板４０から下に延長される。第２部分７２０は、下から見て、反射板５０の反対側部分を覆い、反射板５０の中央部分を露出させる。
【００５１】
図７を参照すると、第３部分７３０は、導光板４０の側面４０ｃに面する。
【００５２】
一対のサイドカバー８０が備えられる。サイドカバー８０は、アルミニウム、ステンレススチール、又は別の適切な物質から作られてもよい。
【００５３】
図４、６及び７を参照すると、各サイドカバー８０は、導光板４０の側面４０ｃに面する第４部分と、導光板４０の出射面４０ａを部分的に覆うように延長される第５部分８５０とを含む。
【００５４】
各カバー部材７０の第３部分７３０は、導光板４０の側面４０ｃの一部に面する。各サイドカバー８０の第４部分８４０は、導光板４０の側面４０ｃ全面に面する。したがって、側面４０ｃはその端部を除いて、サイドカバー８０に囲まれる（図６参照）。側面４０ｃの他の端部は、カバー部材７０及び／またはサイドカバー８０に囲まれる（図７参照）。
【００５５】
第４部分８４０は、連結突出部として第２連結ユニット８４１を含む。第２連結ユニット８４１は、各カバー部材７０の第１連結ユニット７３１に接続される。第１連結ユニット７３１が第２連結ユニット８４１に連結することにより、カバー部材７０はサイドカバー８０を通じて互いに連結される。さらに、カバー部材７０の動きは、サイドカバー８０の縦方向に制限される。
【００５６】
図７を参照すると、各サイドカバー８０の第４部分８４０は、導光板４０と第３部分７３０との間に備えられる。光学フィルム３０の端部は、導光板４０と第５部分８５０との間に備えられる。光学フィルム３０は、その上下に配置された第５部分８５０と導光板４０とにそれぞれ配置される。
【００５７】
図６及び図７に描かれているように、第５部分８５０は、第２弾性部材９２を含む。具体的には、第２弾性部材９２は、第５部分８５０と一体になるように第５部分８５０上に連続して備えられる。あるいは、第２弾性部材９２は、第５部分８５０上に不連続に備えられてもよい。第２弾性部材９２は、例えば、シリコンテープ、ゴムなどで作られてもよい。
【００５８】
液晶パネル２０の短辺側の端部は、第５部分８５０上に固定される。第２弾性部材は、液晶パネル２０と第５部分８５０との間に備えられる。液晶パネル２０は、第２弾性部材９２と直接接触する。第２弾性部材９２は、液晶パネル２０がサイドカバー８０と直接接触することにより摩耗するのを実質的に防ぐ。さらに、第２弾性部材９２は、液晶表示パネル２０を振動といった衝撃から保護し、液晶パネル２０とサイドカバー８０との間の空間に異物が入り込むのを実質的に防ぐ。
【００５９】
第２パネルガイド８５１は、第５部分８５０上に備えられる。第２パネルガイドは、液晶パネル２０の表面の平面方向にほぼ垂直な方向に突出する。液晶パネル２０の側面に面する第２パネルガイド８５１は、液晶パネル２０がその平面方向に動くのを実質的に防ぐ。
【００６０】
本発明の一実施形態によると、液晶パネル２０は、追加のモールドフレームを使用せずにカバー部材７０及びサイドカバー８０内に固定される。第１パネルガイド７１１及び第２パネルガイド８５１は、それぞれ液晶パネル２０の４つの側面を支持し、これにより、液晶パネル２０がその平面方向に動くのを実質的に防止する。
【００６１】
液晶表示装置１において、追加のモールドフレーム及び導光板の反射面４０ｄの全面に面する追加のカバーは必要とされない。
【００６２】
本発明の一実施形態による液晶表示装置１の組み立て方法は、図８Ａ〜図８Ｅを参照して説明される。
【００６３】
図８Ａに示されるように、光源反射板６２及び光源６１は、カバー部材７０の第１部分７１０にはめ込まれる。
【００６４】
図８Ｂに示されるように、反射板５０、導光板５０及び光学フィルム３０は、一対のカバー部材７０の間に備えられる。一対のカバー部材７０は、それぞれ第１方向に沿って接近する（例えば、１つのカバーは第１方向に接近し、もう１つのカバーは第１方向の反対方向に接近する）。
【００６５】
図８Ｃに示されるように、サイドカバー８０は、導光板４０の対向する側面４０ｃとカバー部材７０との間の空間にはめ込まれる。第１連結ユニット７３１及び第２連結ユニット８４１は、サイドカバー８０がはめ込まれながらカバー部材７０と連結するように、互いに連結される。サイドカバー８０を通じて、対向するカバー部材７０は、互いに連結される。したがって、カバー部材７０の動きは、第１方向に沿って制限される。
【００６６】
図８Ｄに示されるように、サイドカバー８０は完全にはめ込まれるため、サイドカバー８０の第５部分８５０は、光学フィルム３０の端部及び導光板４０をそれぞれ押圧する。したがって、サイドカバー８０からの光学フィルム３０の動きは制限され、導光板４０の動きは、その平面方向に対する垂直方向には妨げられる。
【００６７】
図８Ｄに示されるように、液晶パネル２０は、カバー部材７０及びサイドカバー８０内に固定される。第１弾性部材９１及び第２弾性部材９２は、カバー部材７０及びサイドカバー８０上にそれぞれ取り付けられる。第１弾性部材９１及び第２弾性部材９２のどちらが最初に取り付けられるかは問題ではない。
【００６８】
液晶パネル２０の長辺側はカバー部材７０に固定され、液晶パネル２０の短辺側はサイドカバー８０に固定される。液晶パネル２０の側部は、液晶パネル２０が固定されながら第１パネルガイド７１１及び第２パネルガイド８４１にそれぞれ面する。
【００６９】
フロントカバー１０は、図８Ｅに示されるように組み立てられる。フロントカバー１０が組み立てられると同時に、フロントカバー１０はカバー部材７０および／またはサイドカバー８０に連結される。さらに、第１パネルガイド７１１及び第２パネルガイド８４１は、それぞれ液晶パネル２０の動きを制限し、それにより、組み立てるフロントカバー１０は安定した動作を実行する。
【００７０】
本発明の一実施形態による液晶表示装置について、図２のＶＩ−ＶＩに沿った断面図である図９と、図２のＶＩＩ−ＶＩＩに沿った断面図である図１０とを参照して説明する。
【００７１】
各カバー部材７０の第３部分７３０は、各サイドカバー８０の第４部分８４０と導光板４０との間に備えられる。各サイドカバー８０は、各カバー部材７０の外面に連結される。したがって、サイドカバー８０は、容易に組み立てられることが可能となる。
【００７２】
本発明の一実施形態について、図１１及び図１２を参照して説明する。
【００７３】
各カバー部材７０の第３部分７３０は、第１部分７１０よりもさらに突出した第３パネルガイド７３２を含む。液晶パネル２０の短辺は、第３パネルガイド７３２に面する。サイドカバー８０の第２パネルガイド８５１は、備えられなくてもよい。
【００７４】
カバー部材７０は、第３部分７３０から内部に延長された導光板ストッパ７３３を含む。導光板ストッパ７３３は、導光板４０の動きを制限し、導光板４０が光源６１と接触するのを防ぐ。
【００７５】
他の実施形態において、導光板ストッパ７３３は、第２部分７２０から突出されてもよい。
【００７６】
本発明の一実施形態による液晶表示装置について、図１３を参照して説明する。光源６１から放射された光は、各カバー部材７０で導光板４０へ反射される。各カバー部材の内側面は、鏡面を含む。鏡面は、研磨工程または電子ビーム工程を通じて作られる。あるいは、各カバー部材７０の内側面上に反射層が塗布されてもよい。
【００７７】
本発明の一実施形態による液晶表示装置について、図１４を参照して説明する。
【００７８】
各カバー部材７０の第２部分７２０は、組み立てられるとき、それぞれ互いに接触する。すなわち、カバー部材７０の第２部分７２０の端部同士は、実質的に互いに接触する。
【００７９】
図示されてはいないが、一対のカバー部材７０は、フックを使用して連結されることも可能である。この場合、フックとカバー部材７０とは、一体に形成されてもよい。
【００８０】
テープ部材９０は、カバー部材７０の第２部分７２０の端部に固着される。テープ部材９０は、光漏れを減少させ、導電体であってもよい。テープ部材９０は、アルミニウムテープを含んでもよい。
【００８１】
この実施形態において、テープ部材９０は、カバー部材７０の前面に固着される。しかしながら、他の実施形態において、テープ部材９０は、カバー部材７０の背面に接着されてもよい。
【００８２】
本発明の一実施形態による液晶表示装置について、図１５を参照して説明する。
【００８３】
この実施形態において、光源６１は、導光板４０の片側に沿って備えられる。したがって、光源６１を収容するカバー部材７０は、光源６１を収容しないカバー部材７１と異なる形を有する。
【００８４】
カバー部材７０及び７１は、サイドカバー８０またはフック（図示せず）を用いて連結されてもよい。
【００８５】
他の実施形態においては、テープ部材はカバー部材７０及び７１を接着させるために使用されてもよい。
【００８６】
この実施形態によると、光源６１は、カバー部材７０から容易に分解することが可能である。
【００８７】
本発明の実施形態を示し説明してきたが、当業者によって本開示の原理と精神を逸脱することなく実施形態は変更することが可能であると理解される。
【図面の簡単な説明】
【００８８】
【図１】本発明の一実施形態による液晶表示装置の分解斜視図である。
【図２】図１の液晶表示装置の斜視図である。
【図３】図１の液晶表示装置におけるカバー部材の拡大斜視図である。
【図４】図１の液晶表示装置におけるサイドカバーの拡大斜視図である。
【図５】図１の液晶表示装置における図２のＶ−Ｖに沿った断面図である。
【図６】図２のＶＩ−ＶＩに沿った断面図である。
【図７】図２のＶＩＩ−ＶＩＩに沿った断面図である。
【図８Ａ】図１の液晶表示装置の組み立て方法を示す図面である。
【図８Ｂ】図１の液晶表示装置の組み立て方法を示す図面である。
【図８Ｃ】図１の液晶表示装置の組み立て方法を示す図面である。
【図８Ｄ】図１の液晶表示装置の組み立て方法を示す図面である。
【図８Ｅ】図１の液晶表示装置の組み立て方法を示す図面である。
【図９】本発明の一実施形態による液晶表示装置における図２のＶＩＩ−ＶＩＩに沿った断面図である。
【図１０】本発明の一実施形態による液晶表示装置における図２のＶＩＩ−ＶＩＩに沿った断面図である。
【図１１】本発明の一実施形態による液晶表示装置におけるカバー部材を示した拡大斜視図である。
【図１２】図１１による液晶表示装置における図１２のＶＩＩ−ＶＩＩに沿った断面図である。
【図１３】図１１による液晶表示装置におけるＶ−Ｖに沿った断面図である。
【図１４】本発明の一実施形態による液晶表示装置におけるカバー部材を示した拡大斜視図である。
【図１５】本発明の一実施形態による液晶表示装置におけるカバー部材を示した拡大斜視図である。
【符号の説明】
【００８９】
１      液晶表示装置
２      バックライトユニット
１０      フロントカバー
２０      液晶パネル
３０      光学フィルム
４０      導光板
４０ａ      出射面
４０ｂ      入射面
４０ｃ      側面
４０ｄ      反射面
５０      反射板
６１      光源
６２      光源反射板
７０      カバー部材
８０      サイドカバー
９０      テープ部材
９１      第１弾性部材
９２      第２弾性部材
７１０      第１部分
７２０      第２部分
７３０      第３部分
８４０      第４部分
８５０      第５部分
７１１      第１パネルガイド
８５１      第２パネルガイド
【図１】
2008090306.tif 000003
【図２】
2008090306.tif 000004
【図３】
2008090306.tif 000005
【図４】
2008090306.tif 000006
【図５】
2008090306.tif 000007
【図６】
2008090306.tif 000008
【図７】
2008090306.tif 000009
【図８Ａ】
2008090306.tif 000010
【図８Ｂ】
2008090306.tif 000011
【図８Ｃ】
2008090306.tif 000012
【図８Ｄ】
2008090306.tif 000013
【図８Ｅ】
2008090306.tif 000014
【図９】
2008090306.tif 000015
【図１０】
2008090306.tif 000016
【図１１】
2008090306.tif 000017
【図１２】
2008090306.tif 000018
【図１３】
2008090306.tif 000019
【図１４】
2008090306.tif 000020
【図１５】
2008090306.tif 000021
【外国語明細書】
2008090306000001.pdf